(57)【要約】【課題】カバー外へ導出された電線に対しその軸線と交差する首振り方向の外力が作用しても、電線と端子金具との間の接触信頼性の低下を回避する。【解決手段】導電路１は、電線１０の端末部に端子金具２０の後端部を接続して構成され、端子金具２０の前端部が機器２に取り付けられるようになっている。端子金具２０を包囲するカバー４０の後端部において、端子金具２０と電線１０が接続されている。電線１０を包囲するコルゲートチューブ３０のうち端子金具２０よりも後方の位置には、機器２の支持母体３に対して取付け可能な取付部材６０が設けられている。【選択図】図２
2010108671.tif 000002
【特許請求の範囲】
【請求項１】
電線の端末部に端子金具の後端部を接続して構成され、前記端子金具の前端部が機器に取り付けられるようになっている導電路の端末構造であって、
前記端子金具がカバーで包囲され、
前記端子金具における前記電線との接続位置が、前記カバー内における後端側の位置に配置され、
前記電線は、前記カバーの後端面から前記カバー外へ導出され、
前記電線を包囲するコルゲートチューブの前端部が前記カバーに対して軸線方向への移動を規制された状態で係止されている端末構造において、
前記コルゲートチューブにおける前記端子金具よりも後方の位置には、前記機器の支持母体に対して取付け可能な取付部材が設けられていることを特徴とする導電路の端末構造。
【請求項２】
前記取付部材が前記コルゲートチューブとは別体の部品からなり、
前記カバーには、前記電線の軸線方向における前記取付部材の取付け位置を特定可能な位置決め部が形成されていることを特徴とする請求項１記載の導電路の端末構造。
【発明の詳細な説明】
【技術分野】
【０００１】
本発明は、導電路の端末構造に関するものである。
【背景技術】
【０００２】
特許文献１には、電線の端末部に端子金具の後端部を接続して構成され、端子金具の前端部が機器に取付けられるようになっている導電路の端末構造が開示されている。この端末構造では、端子金具がカバーで包囲され、カバーの後端部において端子金具と電線とが接続され、電線がカバーの後端面から後方へ導出され、電線はコルゲートチューブによって包囲され、コルゲートチューブの前端部がカバーに係止されている。
【特許文献１】特開２００８−０７１６５３公報
【発明の開示】
【発明が解決しようとする課題】
【０００３】
上記の導電路では、カバー外へ導出された電線に対しその軸線と交差する首振り方向（電線の長さ方向と交差する方向）への外力が作用した場合、電線はカバーの後端部の近くで曲げられる。この電線が曲げられる位置は、電線と電線接続部との接続部分に近いので、この電線と電線接続部との接続部分が電線の曲げの影響を受け、その結果、電線と電線接続部との間の接触信頼性が低下することが懸念される。
【０００４】
本発明は上記のような事情に基づいて完成されたものであって、カバー外へ導出された電線に対しその軸線と交差する首振り方向の外力が作用しても、電線と端子金具との間の接触信頼性の低下を回避することを目的とする。
【課題を解決するための手段】
【０００５】
上記の目的を達成するための手段として、請求項１の発明は、電線の端末部に端子金具の後端部を接続して構成され、前記端子金具の前端部が機器に取り付けられるようになっている導電路の端末構造であって、前記端子金具がカバーで包囲され、前記端子金具における前記電線との接続位置が、前記カバー内における後端側の位置に配置され、前記電線は、前記カバーの後端面から前記カバー外へ導出され、前記電線を包囲するコルゲートチューブの前端部が前記カバーに対して軸線方向への移動を規制された状態で係止されている端末構造において、前記コルゲートチューブにおける前記端子金具よりも後方の位置には、前記機器の支持母体に対して取付け可能な取付部材が設けられているところに特徴を有する。
【０００６】
請求項２の発明は、請求項１に記載のものにおいて、前記取付部材が前記コルゲートチューブとは別体の部品からなり、前記カバーには、前記電線の軸線方向における前記取付部材の取付け位置を特定可能な位置決め部が形成されているところに特徴を有する。
【発明の効果】
【０００７】
＜請求項１の発明＞
取付部材を支持母体に取り付けることにより、コルゲートチューブのうち端子金具よりも後方の部分が移動規制される。これにより、コルゲートチューブで包囲されている電線のうち取付部材と対応する部分も、首振り方向へ大きく移動することを規制される。つまり、電線のうち端子金具の後端部との接続位置から取付部材との対応位置に至る部分は、首振り方向へ大きく変位することはない。換言すると、電線のうち取付部材との対応位置よりも後方の部分に対して首振り方向への外力が作用したときに、電線が曲げ変形する位置は、端子金具との接続位置から遠くなっている。したがって、電線の曲げの影響は、端子金具との接続部分にまで及ぶ虞がなく、電線と端子金具との間の接触信頼性が維持される。
【０００８】
＜請求項２の発明＞
軸線方向における取付部材の取付け位置を、位置決め部によって特定することができるので、取付部材を支持母体に取り付ける際の作業性が向上する。
【発明を実施するための最良の形態】
【０００９】
＜実施形態１＞
以下、本発明を具体化した実施形態１を図１乃至図１２を参照して説明する。本実施形態の導電路１は、電線１０の端末部に端子金具２０の後端部を接続して構成され、端子金具２０の前端部が機器２（例えば、スタータモータ等）に取り付けられるようになっている。機器２は、支持母体３（例えば、自動車のボディ）に固定して取り付けられている。導電路１を構成する電線１０は、導体１１を絶縁被覆１２で包囲した周知形態のものである。電線１０の前端部（端末部）においては、絶縁被覆１２が除去されて導体１１が露出した状態となっている。
【００１０】
端子金具２０は、前後方向に細長い板状の端子本体２１と、端子本体２１の前端部に形成した機器接続部２２と、端子本体２１の後端部に形成した圧着部２３とを備えて構成されている。機器接続部２２は、端子本体２１の前端から直角下向きに延出した形態であり、機器接続部２２には、機器２の端子部に対してボルト（図示せず）を用いて導通可能に接続するための接続孔２４が前後方向に貫通して形成されている。
【００１１】
圧着部２３は、端子本体２１に対して面一状に連なる底板と、その底板の左右両側縁から立ち上がる二対のカシメ片とを備えて構成されている。圧着部２３の前端側部分はオープンバレル状のワイヤバレル部２３ａとなっており、圧着部２３の後端側部分はオープンバレル状のインシュレーションバレル部２３ｂとなっている。ワイヤバレル部２３ａには、電線１０の前端部における導体１１の露出部分が圧着により接続され、インシュレーションバレル部２３ｂには、電線１０のうち導体１１の露出部分よりも後方の絶縁被覆１２が残っている部分が圧着により接続されている。圧着部２３に接続された電線１０は、端子本体２１とほぼ平行をなすように端子金具２０の後方へ連なっている。
【００１２】
電線１０のうち圧着部２３よりも後方の領域には、コルゲートチューブ３０が外嵌されている。コルゲートチューブ３０は、合成樹脂製であり、外周に複数の係止溝３１が軸線方向に等角度間隔で形成された蛇腹状をなす周知形態のものである。コルゲートチューブ３０の前端は、圧着部２３の後端の近傍に位置している。つまり、電線１０は、圧着部２３との接続部分を除いた大部分がコルゲートチューブ３０によって包囲されている。このコルゲートチューブ３０の最小内径は、電線１０の絶縁被覆１２の外径と同じかそれよも僅かに大きい寸法である。したがって、電線１０は、コルゲートチューブ３０の内部で上下左右方向へガタ付くことはない。
【００１３】
端子金具２０は、その全体がカバー４０によって包囲されている。カバー４０は、合成樹脂製の上部材４１と、同じく合成樹脂製の下部材４２とを合体させて構成されている。上部材４１は、前後方向に細長い覆い部４３と、覆い部４３の前端にヒンジ４５を介して一体的に連なる蓋部４４とを備えている。覆い部４３の後端部の内面（下面）には、左右方向（コルゲートチューブ３０を組み付けた状態では周方向）に延びる複数の上部係止リブ４６が、前後方向（電線１０及びコルゲートチューブ３０の軸線方向）に等角度間隔を空けて形成されている。これらの上部係止リブ４６は、半円弧形をなしている。
【００１４】
下部材４２は、前後方向に細長い受け部４７と、受け部４７の前端から下方へ直角に延出した保持部４８とを備えて構成されている。保持部４８には、前後方向に貫通する貫通孔４９が形成されている。受け部４７の後端部の内面（上面）には、複数の下部係止リブ５０が、上部係止リブ４６と対応して前後方向に等角度間隔を空けて形成されている。これらの下部係止リブ５０は、上部係止リブ４６と同心且つ同径の半円弧形をなしている。
【００１５】
電線１０に接続済みの端子金具２０は、上下両部材４１，４２を合体させる作業と同時にカバー４０に組み付けられる。組付けに際しては、受け部４７に端子本体２１と圧着部２３を載置するとともに、下部係止リブ５０にコルゲートチューブ３０の前端部の係止溝３１を係止させる。また、機器接続部２２は、保持部４８の前端面に沿うように配置させる。
【００１６】
次に、上部材４１を下部材４２に対し上から被せるようにして合体させる。このとき、上部係止リブ４６をコルゲートチューブ３０の係止溝３１に係止させるとともに、端子本体２１を覆い部４３と受け部４７との間で上下に挟み付ける。これにより、カバー４０の内部では、端子金具２０が上下方向への相対変位及び前後左右への傾きを規制された状態で保持される。また、圧着部２３は、上部係止リブ４６及び下部係止リブ５０よりも前方の位置において、受け部４７と覆い部４３との間に構成される空間内に収容される。つまり、端子金具２０と電線１０との接続部分は、カバー４０の後端部に配置される。また、コルゲートチューブ３０のうち上下両係止リブ４６，５０が係止されている前端部も、受け部４７と覆い部４３との間で挟まれて、軸線方向への相対移動及び上下左右方向への相対移動を規制された状態でカバー４０に保持される。
【００１７】
このようにしてカバー４０内に端子金具２０を収容し、コルゲートチューブ３０の前端部をカバー４０の後端部に係止した後は、端子金具２０が機器２の端子部２ａに接続される。接続に際しては、機器接続部２２を端子部２ａに対して前方から当接させ、蓋部４４を保持部４８の上方へ退避させた状態のままで、保持部４８の前方からボルトを接続孔２４に貫通して端子部２ａにねじ込む。これにより、端子部２ａに対して端子金具２０の前端部（機器接続部２２）が移動規制された状態で導通可能に固定される。端子金具２０を機器２に接続した後は、ヒンジ４５を変形させながら、蓋部４４を下方へ回動させ、保持部４８に対してその前面の開口（貫通孔４９）を塞ぐように組み付ける。これにより、機器接続部２２と端子部２ａとの接続部分が、異物の干渉等から保護される。
【００１８】
本実施形態では、端子金具２０のうち機器２に固定されているのは前端部だけである。そのため、カバー４０の後方へ導出されている電線１０に対してその軸線と交差する首振り方向の外力が作用した場合、電線１０が曲げ変形し、その曲げの影響が圧着部２３に及んで、電線１０と端子金具２０との接触信頼性低下を来すことが懸念される。そのため、その対策として、取付部材６０が設けられている。
【００１９】
取付部材６０は、コルゲートチューブ３０やカバー４０とは別体の部品であり、合成樹脂製の第１半割体６１と第２半割体６２とをヒンジ６３を介して連結した単一部品からなる。第１半割体６１の上端側部分には、半円弧形をなす複数の第１係止リブ６４が前後方向に等間隔で形成されている。また、第１半割体６１の下端側部分には、前後方向に貫通する取付孔６５が形成されている。第２半割体６２の側面には上下に間隔を空けて配置されることで対をなす弧状の第２係止リブ６６が、複数対、前後方向に等間隔を空けて形成されている。
【００２０】
第１半割体６１と第２半割体６２は、ヒンジ６３を変形させることにより合体される。両半割体６１，６２を合体した状態では、両半割体６１，６２の間にコルゲートチューブ３０を貫通させるための位置決め孔６７が前後方向に貫通する形態で形成される。そして、この位置決め孔６７の内周には、第１係止リブ６４と第２係止リブ６６が同心円上に並ぶように位置するようになっている。
【００２１】
かかる取付部材６０は、コルゲートチューブ３０の前端部のうち上部係止リブ４６及び下部係止リブ５０との係止領域よりも後方、且つこの係止領域の近傍位置に外嵌するように取り付けられる。取付け状態では、コルゲートチューブ３０が位置決め孔６７を貫通するとともに、第１係止リブ６４と第２係止リブ６６が、コルゲートチューブ３０の係止溝３１に係止される。これらの係止作用により、取付部材６０がコルゲートチューブ３０に対して前後方向の相対移動及び上下左右方向への相対移動を規制された状態に組み付けられる。また、コルゲートチューブ３０を中心とする取付部材６０の姿勢は、取付孔６５がコルゲートチューブ３０よりも下方に位置するような姿勢とされる。
【００２２】
コルゲートチューブ３０に取り付けられた取付部材６０は、その取付孔６５に貫通したボルト（図示せず）のねじ込みにより、支持母体３に対して固定して取り付けられる。そして、この取付部材６０を支持母体３に固定することより、コルゲートチューブ３０のうち端子金具２０よりも後方であって端子金具２０の近傍領域となる前端部も、支持母体３に対して上下左右及び前後のいずれの方向への移動も規制された状態に固定される。
【００２３】
したがって、電線１０のうち取付部材６０との対応位置よりも後方に対して首振り方向の外力が作用したときには、電線１０は、取付部材６０との対応位置よりも後方であって、取付部材６０との対応位置の近傍において曲げ変形することになる。本実施形態のような取付部材６０が設けられていない場合には、電線１０の曲げの位置は、端子金具２０の後端部の近傍、即ち圧着部２３に近い位置となる。これに対し、本実施形態では、電線１０の曲げの位置は、取付部材６０よりも後方なので、圧着部２３からは離れた位置となっている。
【００２４】
上述のように本実施形態によれば、取付部材６０を支持母体３に取り付けることにより、コルゲートチューブ３０のうち端子金具２０よりも後方の部分が移動規制され、コルゲートチューブ３０で包囲されている電線１０のうち取付部材６０と対応する部分も、首振り方向へ大きく移動することを規制される。つまり、電線１０のうち端子金具２０の後端部（圧着部２３）との接続位置から取付部材６０との対応位置に至る部分は、首振り方向へ大きく変位することはない。換言すると、電線１０のうち取付部材６０との対応位置よりも後方の部分に対して首振り方向への外力が作用したときに、電線１０が曲げ変形する位置は、端子金具２０との接続位置から遠くなっている。したがって、電線１０の曲げの影響は、端子金具２０との接続部分にまで及ぶ虞がなく、電線１０と端子金具２０との間の接触信頼性が維持される。
【００２５】
また、カバー４０には、前後方向においてカバー４０に対する取付部材６０の位置を概ね特定するための位置決め部５１が形成されている。上部材４１の覆い部４３の後端からは、板状延出部５２が、覆い部４３よりも高い位置から覆い部４３とほぼ並行に後方へ延出しており、この板状延出部５２の後端からは、板状の位置決め部５１が略直角に下方へ延出している。覆い部４３の後端から位置決め部５１までの前後方向の間隔は、取付部材６０の前後寸法よりも僅かに大きい寸法となっている。また、位置決め部５１の下縁部には、円弧状をなす位置決め用係止リブ５３が形成されている。
【００２６】
カバー４０にコルゲートチューブ３０を組み付ける際には、位置決め用係止リブ５３を係止溝３１に係止することにより、コルゲートチューブ３０とカバー４０（位置決め部５１）との前後方向の相対変位が規制される。また、位置決め部５１は、取付部材６０に対して後方から当接又は接近して対向するように位置する。これにより、取付部材６０は、覆い部４３及び受け部４７の後端と位置決め部５１との間で僅かなクリアランスを空けて前後方向に挟まれた状態となる。これにより、取付部材６０は、カバー４０に対して前後方向へ大きく相対移動することを規制されるので、取付部材６０を支持母体３に取り付ける際に、取付部材６０を支持母体３に接近した所定の取付け位置に保持しておくことが可能であり、作業性が向上する。
【００２７】
また、取付部材６０が正しい位置に取り付けられている状態では、取付部材６０の上端側部分がカバー４０（板状延出部５２及び位置決め部５１で囲まれた空間）の内部に収容されるようになっている。これにより、取付部材６０がその一部又は全体をカバー４０の外部へ露出させた不正な組付け状態のときには、取付部材６０の取付け位置が不正であることを、目視によって容易且つ確実に検知することができる。
【００２８】
また、位置決め部５１に形成した位置決め用係止リブ５３をコルゲートチューブ３０の係止溝３１に係止させるようにしたので、取付部材６０が正しい取付け位置よりも後方に少しずれた不正な位置（取付部材６０の一部のみがカバー４０の後方へ露出する位置）に取り付けられていた場合には、上部材４１を下部材４２に合体させるときに、位置決め部５１の下端縁部が取付部材６０の上端と干渉する。この合体時の干渉の有無により、取付部材６０が正しい位置に取り付けられているか否かを判別することができる。
【００２９】
＜他の実施形態＞
本発明は上記記述及び図面によって説明した実施形態に限定されるものではなく、例えば次のような実施態様も本発明の技術的範囲に含まれる。
【００３０】
（１）上記実施形態では取付部材をコルゲートチューブとは別体の部品としたが、取付部材をコルゲートチューブに一体に形成してもよい。
【００３１】
（２）上記実施形態では取付部材の一部をカバーの内部に収容したが、取付部材の全体がカバーの外部に露出する形態であってもよい。
【００３２】
（３）上記実施形態では取付部材の係止リブをコルゲートチューブの係止溝に係止することで、取付部材がコルゲートチューブに対して軸線方向に相対移動きないようにしたが、取付部材に係止リブを形成せず、取付部材がコルゲートチューブに対して軸線方向へ相対移動し得る形態としてもよい。
【図面の簡単な説明】
【００３３】
【図１】実施形態１の平面図
【図２】図１のＡ−Ａ線断面図
【図３】カバーを構成する上部材の断面図
【図４】カバーを構成する上部材の底面図
【図５】カバーを構成する下部材の平面図
【図６】図５のＢ−Ｂ線断面図
【図７】端子金具の平面図
【図８】端子金具の側面図
【図９】図８のＣ−Ｃ線断面図
【図１０】取付部材の展開状態をあらわす側面図
【図１１】図１０のＤ−Ｄ線断面図
【図１２】取付部材の展開状態わあらわす平面図
【符号の説明】
【００３４】
１…導電路
２…機器
３…支持母体
１０…電線
２０…端子金具
３０…コルゲートチューブ
４０…カバー
５１…位置決め部
６０…取付部材
【図１】
2010108671.tif 000003
【図２】
2010108671.tif 000004
【図３】
2010108671.tif 000005
【図４】
2010108671.tif 000006
【図５】
2010108671.tif 000007
【図６】
2010108671.tif 000008
【図７】
2010108671.tif 000009
【図８】
2010108671.tif 000010
【図９】
2010108671.tif 000011
【図１０】
2010108671.tif 000012
【図１１】
2010108671.tif 000013
【図１２】
2010108671.tif 000014